【手続補正書】
【提出日】平成19年6月8日(2007.6.8)
【手続補正１】
【補正対象書類名】特許請求の範囲
【補正対象項目名】全文
【補正方法】変更
【補正の内容】
【特許請求の範囲】
【請求項１】
少なくとも、二枚の基板と、該二枚の基板の間に設けられた発光部を有する平面型画像表示装置であって、
前記二枚の基板のうち少なくとも一枚の基板がＳｉＯ2を主成分とし、Ｌａ、Ｓｃ、Ｙ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕより選ばれた少なくとも一種を１〜２０重量％含有するガラス材であることを特徴とする平面型画像表示装置。
【請求項２】
少なくとも、二枚の基板および該二枚の基板の間に設けられた発光部よりなる表示パネルと、該表示パネルの表示面側に設置されたフィルタガラスとを有する平面型画像表示装置であって、
前記フィルタガラスはＳｉＯ2を主成分とし、Ｌａ、Ｓｃ、Ｙ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕより選ばれた少なくとも一種を１〜２０重量％含有するガラス材であることを特徴とする平面型画像表示装置。
【請求項３】
少なくとも、二枚の基板および該二枚の基板の間に設けられた発光部よりなる表示パネルと、該表示パネルの表示面側に設置されたフィルタガラスとを有する平面型画像表示装置であって、
前記フィルタガラスはＳｉＯ2を主成分とし、Ｌａ、Ｙ、Ｇｄ、Ｙｂ、Ｌｕより選ばれた少なくとも一種を１〜２０重量％含有し、クラック発生率が５０％になる荷重が５０００ｍＮ以上であるガラス材であることを特徴とする平面型画像表示装置。
【請求項４】
前記フィルタガラス接着層により二枚以上のガラス材を積層した積層材であることを特徴とする請求項２又は３に記載の平面型画像表示装置。
【請求項５】
内面に電子源アレイを備えた背面基板と、内面に前記電子源アレイに対応した配列を有する蛍光体パターンと加速電極とを備えて、その外面を表示面とする前面基板とからなり、前記背面基板と前記前面基板の各内面を対向させて両基板の周縁に有する封止部を封着材により封着してなる真空容器を有する平面型画像表示装置であって、
前記背面基板と前記前面基板のうち少なくとも一方の基板がＳｉＯ2を主成分とし、Ｌａ、Ｓｃ、Ｙ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕより選ばれた少なくとも一種を１〜２０重量％含有し、クラック発生率が５０％になる荷重が５０００ｍＮ以上であるガラス材であることを特徴とする平面型画像表示装置。
【請求項６】
前記背面基板が平坦で、前記前面基板の周縁に枠ガラスを一体的に有し、前記背面基板と前記前面基板の各内面を対向させて前記枠ガラスの端面と前記背面基板とを封着材を介在させて封止することを特徴とする請求項５に記載の平面型画像表示装置。
【請求項７】
前記背面基板と前記前面基板の各周縁に、当該背面基板および前面基板とは別体の枠ガラスを配置し、前記背面基板と前記前面基板および前記枠ガラスとの間に封着材を介在させて封止してなり、
前記枠ガラスがＳｉＯ2を主成分とし、Ｌａ、Ｓｃ、Ｙ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕより選ばれた少なくとも一種を１〜２０重量％含有するガラス材であることを特徴とする請求項５または６のいずれかに記載の平面型画像表示装置。
【請求項８】
前記背面基板と前記前面基板の各周縁に、当該背面基板および前面基板とは別体の枠ガラスを有し、前記背面基板と前記前面基板および前記枠ガラスとの間に封着材を介在させて封止してなり、
前記枠ガラスがＳｉＯ2を主成分とし、Ｌａ、Ｓｃ、Ｙ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、より選ばれた少なくとも一種を１〜２０重量％含有し、クラック発生率が５０％になる荷重が５０００ｍＮ以上であるガラス材であることを特徴とする請求項５乃至７のいずれかに記載の平面型画像表示装置。
【請求項９】
前記背面基板と前記前面基板を封止して形成された真空容器の内部に、当該背面基板と前面基板の間隙を保持するためのスペーサを有し、該スペーサと前記背面基板と前記前面基板とを封止材を介在させて封止してなり、
前記スペーサがＳｉＯ2を主成分とし、Ｌａ、Ｓｃ、Ｙ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕより選ばれた少なくとも一種を１〜２０重量％含有するガラス材であることを特徴とする請求項５乃至８の何れかに記載の平面型画像表示装置。
【請求項１０】
前記背面基板と前記前面基板を封止して形成された真空容器の内部に、当該背面基板と前面基板の間隙を保持するためのスペーサを有し、該スペーサと前記背面基板と前記前面基板とを封止材を介在させて封止してなり、
前記スペーサがＳｉＯ2を主成分とし、Ｌａ、Ｓｃ、Ｙ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕより選ばれた少なくとも一種を１〜２０重量％含有し、クラック発生率が５０％になる荷重が５０００ｍＮ以上であるガラス材であることを特徴とする請求項５乃至９のいずれかに記載の平面型画像表示装置。
【請求項１１】
前記ガラス材は酸化物換算でＳｉＯ2が４０〜８０重量％、Ｂ2Ｏ3が０〜２０重量％、Ａｌ2Ｏ3が０〜２５重量％、Ｒ2Ｏ(Ｒはアルカリ金属)が５〜２０重量％、Ｒ'Ｏ(Ｒ'はアルカリ土類金属)が０〜２５重量％、Ｌｎ2Ｏ3（Ｌｎは、Ｌａ、Ｓｃ、Ｙ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕより選ばれた少なくとも一種）が１〜２０重量％の組成であることを特徴とする請求項１乃至１０のいずれかに記載の平面型画像表示装置。
【請求項１２】
前記ガラス材は酸化物換算で、ＳｉＯ2が５０〜７０重量％、Ｂ2Ｏ3が０〜１５重量％、Ａｌ2Ｏ3が５〜２５重量％、Ｒ2Ｏ(Ｒはアルカリ金属)が７〜２０重量％、Ｒ'Ｏ(Ｒ'はアルカリ土類金属)が０〜２０重量％、Ｌｎ2Ｏ3(Ｌｎは、Ｌａ、Ｙ、Ｇｄ、Ｙｂ、Ｌｕより選ばれた少なくとも一種)が１〜１０重量％であることを特徴とする請求項１乃至１１のいずれかに記載の平面型画像表示装置。
【請求項１３】
前記ガラス材の密度が２．６ｇ／ｃｍ3以下であることを特徴とする請求項１１乃至１２のいずれかに記載の平面型画像表示装置。
【請求項１４】
前記ガラス材の転移点は６００℃以上であることを特徴とする請求項１１乃至１３のいずれかに記載の平面型画像表示装置。
【請求項１５】
前記ガラス材の熱膨張係数が６０〜９０×１０-7／℃であることを特徴とする請求項１１乃至１３のいずれかに記載の平面型画像表示装置。
【請求項１６】
前記ガラス材のヤング率が８０ＧＰａ以上であることを特徴とする請求項１１乃至１３のいずれかに記載の平面型画像表示装置。
【請求項１７】
前記ガラス材のヤング率を密度で除した比ヤング率が３０ＧＰａ／（ｇ／ｃｍ3）以上であることを特徴とする請求項１１乃至１３のいずれかに記載の平面型画像表示装置。
【請求項１８】
前記二枚の基板の少なくとも一方、又は前記背面基板若しくは前記前面基板の少なくとも一方の厚さが２．５ｍｍ以下であることを特徴とする請求項１から１７のいずれかに記載の平面型画像表示装置。
【請求項１９】
前記二枚の基板の少なくとも一方、又は前記背面基板若しくは前記前面基板の少なくとも一方に、破壊された時のガラス材の飛散量を減少させる飛散防止層を有していることを特徴とする請求項１乃至１７のいずれかに記載の平面型表示装置。